(57)【要約】【課題】  屋内外での集会や催物や行事等に用いられるテントに係り、とりわけテントシートの張設装置及び張設方法に於て、テントシートの張設や撤収が容易に且つ安全に行える様にする。【解決手段】  天枠体６とこれを支持する支柱７とを備えたテントフレーム２と、テントフレーム２の天枠体６に張架されるテントシート３と、地上Ｇから操作可能でテントシート３の略中央をテントフレーム２の天枠体６の略中央に吊上げる吊上げ手段４と、地上Ｇから操作可能でテントシート３の端部をテントフレーム２の天枠体６の端部に引張る引張り手段５とで構成する。【選択図】        図１
2008007943.tif 000002
【特許請求の範囲】
【請求項１】
天枠体とこれを支持する支柱とを備えたテントフレームと、テントフレームの天枠体に張架されるテントシートと、地上から操作可能でテントシートの略中央をテントフレームの天枠体の略中央に吊上げる吊上げ手段と、地上から操作可能でテントシートの端部をテントフレームの天枠体の端部に引張る引張り手段と、から構成した事を特徴とするテントシートの張設装置。
【請求項２】
吊上げ手段は、テントフレームの天枠体の略中央に設けられる中央吊上げ滑車と、テントフレームの天枠体の端部に設けられる端部吊上げ滑車と、一端がテントシートの略中央に止着されて中央吊上げ滑車と端部吊上げ滑車に掛渡される吊上げロープと、テントフレームに設けられて吊上げロープの他端が掛止される吊上げロープ止めとを備えていると共に、引張り手段は、テントフレームの天枠体の端部に設けられる引張り滑車と、一端がテントフレームの天枠体の端部に止着されて引張り滑車に掛渡される引張りロープと、テントフレームに設けられて引張りロープの他端が掛止される引張りロープ止めとを備えている請求項１に記載のテントシートの張設装置。
【請求項３】
吊上げ手段の端部吊上げ滑車と、引張り手段の引張り滑車の一つは、二連滑車で構成されていると共に、吊上げ手段の吊上げロープ止めと、引張り手段の引張りロープ止めの一つは、兼用されている請求項２に記載のテントシートの張設装置。
【請求項４】
テントシートの略中央をテントフレームの天枠体の略中央下側まで吊上げる第一工程と、吊上げたテントシートの端部をテントフレームの天枠体の端部まで引張ってテントシートを展開する第二工程とを備えた事を特徴とするテントシートの張設方法。
【請求項５】
テントシートの略中央がテントフレームの天枠体の略中央下側に位置すべく折畳み状態のテントシートをテントフレームの天枠体の略中央下側まで吊上げる第一工程と、吊上げた折畳み状態のテントシートをテントフレームの天枠体の略中央上側に位置すべく反転させる第二工程と、反転されたテントシートの端部をテントフレームの天枠体の端部まで引張ってテントシートを展開する第三工程とを備えた事を特徴とするテントシートの張設方法。
【発明の詳細な説明】
【技術分野】
【０００１】
本発明は、例えば屋内外での集会や催物や行事等で用いられるテントに係り、とりわけテントシートの張設装置及び張設方法の改良に関する。
【背景技術】
【０００２】
従来、この種のテントに於ては、例えば特許文献１に記載されたものが知られて居り、テントシートがテントフレームの天枠体を覆う様にその上側に張られていた。
当該テントシートは、折畳まれたものをテントフレームの天枠体の上側まで持上げた後、順次展開してその端部を天枠体の端部に固定する様にされていた。
【０００３】
【特許文献１】特開２００４−３１６１０３号公報
【発明の開示】
【発明が解決しようとする課題】
【０００４】
ところが、この様なものは、テントフレームの全高が高い場合には、折畳んだテントシートの重量が比較的大きいので、これをテントフレームの天枠体の上側まで持上げる作業が行い難いと共に、高所でテントシートを展開せねばならないので、危険であった。
又、強風等に依りテントシートを撤収せねばならない場合には、作業者が高所に上って作業を行わねばならなかったので、極めて危険であった。
【０００５】
本発明は、叙上の問題点に鑑み、これを解消する為に創案されたもので、その課題とする処は、テントシートの張設や撤収が容易に且つ安全に行える様にしたテントシートの張設装置及び張設方法を提供するにある。
【課題を解決するための手段】
【０００６】
本発明のテントシートの張設装置は、基本的には、天枠体とこれを支持する支柱とを備えたテントフレームと、テントフレームの天枠体に張架されるテントシートと、地上から操作可能でテントシートの略中央をテントフレームの天枠体の略中央に吊上げる吊上げ手段と、地上から操作可能でテントシートの端部をテントフレームの天枠体の端部に引張る引張り手段と、から構成した事に特徴が存する。
【０００７】
テントシートは、吊上げ手段に依りその略中央がテントフレームの天枠体の略中央に吊上げられる。吊上げられたテントシートは、引張り手段に依りその端部がテントフレームの天枠体の端部に引張られて展開される。
テントシートは、吊上げ手段に依り吊上げられると共に、引張り手段に依り展張され、吊上げ手段と引張り手段は、地上から操作可能であるので、作業者は、テントフレームの天枠体に上って作業を行う必要がなく、容易且つ安全に作業が行える。強風等でテントシートを撤収せねばならない場合でも、吊上げ手段と引張り手段を用いて前述の逆の要領に依りテントシートを迅速に収縮して降ろす事ができる。
【０００８】
吊上げ手段は、テントフレームの天枠体の略中央に設けられる中央吊上げ滑車と、テントフレームの天枠体の端部に設けられる端部吊上げ滑車と、一端がテントシートの略中央に止着されて中央吊上げ滑車と端部吊上げ滑車に掛渡される吊上げロープと、テントフレームに設けられて吊上げロープの他端が掛止される吊上げロープ止めとを備えていると共に、引張り手段は、テントフレームの天枠体の端部に設けられる引張り滑車と、一端がテントフレームの天枠体の端部に止着されて引張り滑車に掛渡される引張りロープと、テントフレームに設けられて引張りロープの他端が掛止される引張りロープ止めとを備えているのが好ましい。この様にすれば、滑車とロープを用いて地上から操作が容易なものを提供する事ができる。
【０００９】
吊上げ手段の端部吊上げ滑車と、引張り手段の引張り滑車の一つは、二連滑車で構成されていると共に、吊上げ手段の吊上げロープ止めと、引張り手段の引張りロープ止めの一つは、兼用されているのが好ましい。この様にすれば、個別に設ける必要がないので、構造を簡単化できる。
【００１０】
テントシートの略中央をテントフレームの天枠体の略中央下側まで吊上げる第一工程と、吊上げたテントシートの端部をテントフレームの天枠体の端部まで引張ってテントシートを展開する第二工程とを備えているのが好ましい。この様にすれば、テントシートをテントフレームの天枠体の下側に張設する事ができる。
【００１１】
テントシートの略中央がテントフレームの天枠体の略中央下側に位置すべく折畳み状態のテントシートをテントフレームの天枠体の略中央下側まで吊上げる第一工程と、吊上げた折畳み状態のテントシートをテントフレームの天枠体の略中央上側に位置すべく反転させる第二工程と、反転されたテントシートの端部をテントフレームの天枠体の端部まで引張ってテントシートを展開する第三工程とを備えているのが好ましい。この様にすれば、テントシートをテントフレームの天枠体の上側に張設する事ができる。
【発明の効果】
【００１２】
本発明に依れば、次の様な優れた効果を奏する事ができる。
（１）  天枠体とこれを支持する支柱とを備えたテントフレームと、テントフレームの天枠体に張架されるテントシートと、地上から操作可能でテントシートの略中央をテントフレームの天枠体の略中央に吊上げる吊上げ手段と、地上から操作可能でテントシートの端部をテントフレームの天枠体の端部に引張る引張り手段とで構成したので、テントシートの張設や撤収が容易に且つ安全に行える。
（２）  テントシートの略中央をテントフレームの天枠体の略中央下側まで吊上げると共に、テントシートの端部をテントフレームの天枠体の端部まで引張る様にしたので、テントシートを均等に展開する事ができ、テントシートを迅速且つ確実に張設する事ができる。
【発明を実施するための最良の形態】
【００１３】
以下、本発明の実施の形態を、図面に基づいて説明する。
図１は、本発明に係るテントシートの張設装置を示す斜視図。図２は、展開したテントシートを示す斜視図。図３は、テントシートを吊上げようとする状態を示す正面図。図４は、テントシートを吊上げた状態を示す図３と同様図。図５は、テントシートを展開させようとする状態を示す図３と同様図。図６は、テントシートを天枠体の下側に展開させた状態を示す図３と同様図。図７は、折畳み状態に保たれたテントシートを吊上げようとする状態を示す正面図。図８は、テントシートを吊上げた状態を示す図７と同様図。図９は、吊上げられたテントシートを反転させた状態を示す図７と同様図。図１０は、反転させたテントシートを展開させようとする状態を示す図７と同様図。図１１は、テントシートを天枠体の上側に展開させた状態を示す図７と同様図である。
【００１４】
張設装置１は、テントフレーム２、テントシート３、吊上げ手段４、引張り手段５とからその主要部が構成されている。
【００１５】
テントフレーム２は、天枠体６とこれを支持する支柱７とを備えたもので、この例では、平面方形（正方形）を呈する天枠体６と、これに折畳み可能に設けられた支柱７とを備えて居り、特許文献１に記載されたものを利用している。
天枠体６は、平面方形（正方形）を呈すべく配された縦横の梁材８と、隣接する梁材８同士を連結する継手９と、対角線上に位置する継手９間に着脱可能に架設される二つの索条（ワイヤロープ）１０と、一方の索条１０のみに設けられて張力を調節する張力調節器（ターンバックル）１１とを備えている。
支柱７は、上部が天枠体６の各継手９に挿脱且つ折畳み可能に取付けられていると共に、下部には、座体１２が着脱可能に取付けられている。
【００１６】
テントシート３は、テントフレーム２の天枠体６に張架されるもので、この例では、天枠体６と同様な形状（正方形）及び大きさを備えて居り、ビニール等のシート材料で作製されている。
テントシート３の四辺中程には、同部分をテントフレーム２の天枠体６に着脱可能に取付ける為の帯状着脱具（バックル付ベルト）１３が付設されている。
【００１７】
吊上げ手段４は、地上Ｇから操作可能でテントシート３の略中央をテントフレーム２の天枠体６の略中央に吊上げるもので、この例では、テントフレーム２の天枠体６の略中央に設けられる中央吊上げ滑車１４と、テントフレーム２の天枠体６の端部に設けられる端部吊上げ滑車１５と、一端がテントシート３の略中央に止着されて中央吊上げ滑車１４と端部吊上げ滑車１５に掛渡される吊上げロープ１６と、テントフレーム２に設けられて吊上げロープ１６の他端が掛止される吊上げロープ止め１７とを備えている。
中央吊上げ滑車１４は、天枠体６の二つの索条１０の交点箇所に略Ｕ型のシャックル（ネジ止めシャックル）１８を介して着脱可能に掛止されている。端部吊上げ滑車１５は、天枠体６の各継手９に形成した貫孔（図示せず）の一つに略Ｕ型のシャックル（ネジ止めシャックル）１９を介して着脱可能に掛止されている。吊上げロープ１６は、ビニールロープ等が用いられる。吊上げロープ止め１７は、帯板の両側をＬ状に折り曲げた形状を呈して居り、支柱７の中位に付設されている。
【００１８】
引張り手段５は、地上Ｇから操作可能でテントシート３の端部をテントフレーム２の天枠体６の端部に引張るもので、この例では、テントフレーム２の天枠体６の端部（四隅）に設けられる引張り滑車２０と、一端がテントシート３の端部（四隅）に止着されて引張り滑車２０に掛渡される引張りロープ２１と、テントフレーム２に設けられて引張りロープ２１の他端が掛止される引張りロープ止め２２とを備えている。
引張り滑車２０は、天枠体６の各継手９に形成した貫孔（図示せず）に略Ｕ型のシャックル（ネジ止めシャックル）１９を介して着脱可能に掛止されている。引張りロープ２１は、ビニールロープ等が用いられて居り、一端がテントシート３の隅部に止着されている。吊上げロープ止め２２は、帯板の両側をＬ状に折り曲げた形状を呈して居り、支柱７の中位に付設されている。
【００１９】
而して、吊上げ手段４の端部吊上げ滑車１５と、引張り手段５の引張り滑車２０の一つは、二連滑車で構成されていると共に、吊上げ手段４の吊上げロープ止め１７と、引張り手段５の引張りロープ止め２２の一つは、兼用されている。
【００２０】
次に、この様な構成に基づいてその作用を述解する。
テントシート３は、吊上げ手段４に依りその略中央がテントフレーム２の天枠体６の略中央に吊上げられる。この時、テントシート３は、容易に拡がる様にされた折畳み状態（図１，３参照）、拡がらない様に保たれた折畳み状態（図７参照）、予め拡げた状態（図示せず）の何れであっても良い。吊上げられたテントシート３は、引張り手段５に依りその端部（四隅）がテントフレーム２の天枠体６の端部（四隅）に引張られて展開される。
【００２１】
テントシート３をテントフレーム２の天枠体６の下側に張設する場合は、次の方法で行われる。
（１）  容易に拡がる様にされた折畳み状態のテントシート３をテントフレーム２の天枠体６の略中央の下方に位置する地上Ｇに置いた後、テントシート３の略中央に一端が止着された吊上げロープ１６を中央吊上げ滑車１４と端部吊上げ滑車１５に掛渡する（図３参照）。この場合、テントフレーム２の高さが高い場合には、脚立等を利用して天枠体６の下側から吊上げロープ１６の掛渡を行う（以下同様）。
（２）  吊上げロープ１６の他端を引張って吊上げロープ止め１７に掛止する事に依りテントシート３の略中央をテントフレーム２の天枠体６の略中央下側まで吊上げる（図４参照）。
（３）  テントシート３の端部に一端が止着された引張りロープ２１を引張り滑車２０に掛渡する（図５参照）。この場合、テントフレーム２の高さが高い場合には、脚立等を利用して天枠体６の下側から引張りロープ２１の掛渡を行う（以下同様）。
（４）  引張りロープ２１の他端を引張って引張りロープ止め２２に掛止する事に依り吊上げたテントシート３の端部をテントフレーム２の天枠体６の端部まで引張ってテントシート３をテントフレーム２の天枠体６の下側に展開する（図６参照）。
【００２２】
テントシート３をテントフレーム２の天枠体６の上側に張設する場合は、次の方法で行われる。
（１）  引張りロープ２１等を利用して拡がらない様に保たれた折畳み状態のテントシート３をテントフレーム２の天枠体６の略中央の下方に位置する地上Ｇに置いた後、テントシート３の略中央に一端が止着された吊上げロープ１６を中央吊上げ滑車１４と端部吊上げ滑車１５に掛渡する（図７参照）。
（２）  吊上げロープ１６の他端を引張って吊上げロープ止め１７に掛止する事に依り折畳み状態のテントシート３をテントフレーム２の天枠体６の略中央下側まで吊上げる（図８参照）。
（３）  吊上げられた折畳み状態のテントシート３をテントフレーム２の天枠体６の上側に反転させる（図９参照）。
（４）  テントシート３の端部に一端が止着された引張りロープ２１を引張り滑車２０に掛渡する（図１０参照）。
（５）  引張りロープ２１の他端を引張って引張りロープ止め２２に掛止する事に依りテントシート３の端部をテントフレーム２の天枠体６の端部まで引張ってテントシート３をテントフレーム２の天枠体６の上側に展開する（図１１参照）。
【００２３】
テントシート３は、地上Ｇから操作可能な吊上げ手段４に依り吊上げられると共に、同じく地上Ｇから操作可能な引張り手段５に依り展張されるので、作業者は、テントフレーム２の天枠体６に上って作業を行う必要がなく、容易且つ安全に作業が行える。
強風等でテントシート３を撤収せねばならない場合でも、吊上げ手段４と引張り手段５を用いて前述の逆の要領に依りテントシート３を迅速に収縮して降ろす事ができる。
【００２４】
尚、テントフレーム２の天枠体６は、先の例では、平面正方形であったが、これに限らず、例えば平面長方形や平面円形等であっても良い。
テントフレーム２の天枠体６は、先の例では、索条１０を用いたが、これに限らず、例えば中央を通る棧材等を用いても良い。
テントフレーム２の支柱７は、先の例では、折畳み可能であったが、これに限らず、例えば折畳み不能なものでも良い。
吊上げ手段４と引張り手段５は、先の例では、定滑車だけを用いたが、これに限らず、例えば定滑車と動滑車を組合わせても良い。この様にすれば、より小さな力でテントシート３を動かす事ができる。
引張り手段５の引張りロープ２１は、先の例では、その一端がテントシート３の隅部に止着したが、これに限らず、例えばテントシート３の辺部等に止着しても良い。この場合、引張り手段５の引張り滑車２０も、テントシート３に対応したテントフレーム２の天枠体６の辺部等に設けるのが望ましい。
【図面の簡単な説明】
【００２５】
【図１】本発明に係るテントシートの張設装置を示す斜視図。
【図２】展開したテントシートを示す斜視図。
【図３】テントシートを吊上げようとする状態を示す正面図。
【図４】テントシートを吊上げた状態を示す図３と同様図。
【図５】テントシートを展開させようとする状態を示す図３と同様図。
【図６】テントシートを天枠体の下側に展開させた状態を示す図３と同様図。
【図７】折畳み状態に保たれたテントシートを吊上げようとする状態を示す正面図。
【図８】テントシートを吊上げた状態を示す図７と同様図。
【図９】吊上げられたテントシートを反転させた状態を示す図７と同様図。
【図１０】反転させたテントシートを展開させようとする状態を示す図７と同様図。
【図１１】テントシートを天枠体の上側に展開させた状態を示す図７と同様図。
【符号の説明】
【００２６】
１…張設装置、２…テントフレーム、３…テントシート、４…吊上げ手段、５…引張り手段、６…天枠体、７…支柱、８…梁材、９…継手、１０…索条、１１…張力調節器、１２…座体、１３…帯状着脱具、１４…中央吊上げ滑車、１５…短部吊上げ滑車、１６…吊上げロープ、１７…吊上げロープ止め、１８…シャックル、１９…シャックル、２０…引張り滑車、２１…引張りロープ、２２…引張りロープ止め、Ｇ…地上。
【図１】
2008007943.tif 000003
【図２】
2008007943.tif 000004
【図３】
2008007943.tif 000005
【図４】
2008007943.tif 000006
【図５】
2008007943.tif 000007
【図６】
2008007943.tif 000008
【図７】
2008007943.tif 000009
【図８】
2008007943.tif 000010
【図９】
2008007943.tif 000011
【図１０】
2008007943.tif 000012
【図１１】
2008007943.tif 000013